(57)【特許請求の範囲】
【請求項１】
ユーザ装置（ＵＥ）であって、
各セルが進化型ノードＢ（ｅＮＢ）に関連する１つ以上のセルからの複数の信号を決定し、
前記１つ以上のセルの第１のセルと関連する第１のパフォーマンス指標の第１の値を決定し、前記第１の値は第１の測定から決定され、
前記第１の値に基づき第１の通信について前記第１のセルを選択し、
前記ＵＥに関連する第１の位置情報を決定し、
前記第１の測定の後に前記第１の位置情報を利用して、前記ＵＥが静止しているか判断し、
前記ＵＥが静止しているという判定に応答して、前記第１のパフォーマンス指標の第２の測定を遅延させ、
前記第１のセルの選択に基づき、前記ＵＥが静止しているという判定の後に前記第１のセルに関連する前記第１のパフォーマンス指標の値を定期的に決定するよう構成され、
前記ＵＥが静止しているという判定に応答して、前記第２の測定の遅延は、前記第１のセルと異なる前記１つ以上のセルの第２のセルに関連する前記第１のパフォーマンス指標の第２の値の決定を遅延させるよう構成される回路を有するユーザ装置。
【請求項２】
前記１つ以上のセルは前記第１のセルと第２のセルとを有し、
前記第１のセルは、第１の周波数レイヤを用いて動作するマクロセルを有し、
前記第２のセルは、前記第１の周波数レイヤと異なる第２の周波数レイヤを用いて動作するピコセルを有する、請求項１記載のＵＥ。
【請求項３】
前記複数の信号は、前記第１のセルから前記第１の周波数レイヤにおける前記ＵＥへの第１の信号と、前記第２の周波数レイヤを用いた前記第２のセルからの第２の信号とを含む、請求項２記載のＵＥ。
【請求項４】
前記回路は更に、前記第１の測定の一部として前記第２のセルに関連する前記第１のパフォーマンス指標の第２の値を決定するよう構成され、
前記第１のセルは更に、前記第１の値と前記第２の値との比較に基づき選択される、請求項３記載のＵＥ。
【請求項５】
前記複数の信号を決定するよう構成される前記回路は、前記第１のセルからの前記複数の信号を決定するよう構成される回路を含み、
前記複数の信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）からの少なくとも１つである、請求項１記載のＵＥ。
【請求項６】
前記ＵＥが静止していると判断するよう構成される前記回路は、前記複数の信号のそれぞれのウィンドウサイズの１つ以上の指標を決定するよう構成される回路を含み、
前記１つ以上の指標は、１つ以上の信号値の分散、１つ以上の信号値の標準偏差、前記１つ以上の指標の平均のパーセント信頼区間（ＣＩ）及び前記１つ以上の指標の２つ以上の他の線形結合からの少なくとも１つである、請求項５記載のＵＥ。
【請求項７】
前記第１のパフォーマンス指標は、前記複数の信号の少なくとも１つに関連するドップラー閾値である、請求項１記載のＵＥ。
【請求項８】
前記ＵＥが静止していると判断するよう構成される前記回路は、
前記第１の位置情報を進化型ノードＢ（ｅＮＢ）に送信し、
前記第１の位置情報の送信に応答して、測定遅延インジケータを受信するよう構成される回路を含む、請求項１記載のＵＥ。
【請求項９】
前記ＵＥが静止しているという判定に応答して、前記第１のパフォーマンス指標の第２の測定を遅延させるよう構成される前記回路は、前記ＵＥが静止しているというインジケータとして前記測定遅延インジケータを処理するよう構成される回路を含む、請求項８記載のＵＥ。
【請求項１０】
前記第１の位置情報は、前記ｅＮＢを介しモビリティマネージメントエンティティ（ＭＭＥ）に送信され、
前記ＭＭＥは、前記第１の位置情報に基づき前記ＵＥが静止していると判断し、
前記ＭＭＥは、前記ＵＥが静止しているという前記ＭＭＥによる判定に応答して、前記測定遅延インジケータを発信する、請求項９記載のＵＥ。
【請求項１１】
前記第１の測定の後に前記第１の位置情報を用いて前記ＵＥが静止していると判定するよう構成される回路は、
前記第１の位置情報を用いて前記ＵＥのモビリティ値を決定し、
静止閾値を特定し、
前記モビリティ値が前記静止閾値以下であると判定するよう構成される回路を含む、請求項１記載のＵＥ。
【請求項１２】
前記ＵＥに関連する第２の位置情報を決定し、前記第１の位置情報は第１の時間期間中に決定され、前記第２の位置情報は前記第１の時間期間の後である第２の時間期間中に決定され、
前記第２の測定の後に前記第２の位置情報を用いて前記ＵＥが静止していないと判断し、
前記ＵＥが静止しているという判定に応答して、前記第１のパフォーマンス指標の第２の測定を開始するよう構成される回路を更に有する、請求項１１記載のＵＥ。
【請求項１３】
前記第２の測定の後に前記第２の位置情報を用いて前記ＵＥが静止していないと判定するよう構成される前記回路は、
前記第２の位置情報を用いて前記ＵＥの第２のモビリティ値を決定し、
前記モビリティ値が前記静止閾値以上であると判定するよう構成される回路を含む、請求項１２記載のＵＥ。
【請求項１４】
前記モビリティ値が前記静止閾値以下であるという判定に基づき静止判定メッセージを通信し、
前記静止判定メッセージの通信に応答して、測定遅延通信を受信するよう構成される回路を更に有する、請求項１１記載のＵＥ。
【請求項１５】
アンテナを更に有し、
前記静止判定メッセージは、前記アンテナを用いて進化型ノードＢ（ｅＮＢ）に無線インタフェースを介し送信され、前記測定遅延通信は、前記アンテナを用いて前記ｅＮＢから前記無線インタフェースを介し受信される、請求項１４記載のＵＥ。
【請求項１６】
第１のセルを選択する方法であって、
処理回路と無線通信回路とを有するユーザ装置（ＵＥ）が、複数のセルからの複数の無線信号を決定することと、
前記複数のセルの第１のセルの第１の信号品質を決定することであって、前記第１の信号品質は第１の無線信号の第１の測定から決定される、決定することと、
前記複数のセルの第２のセルの第２の信号品質を決定することであって、前記第２の信号品質は第２の無線信号の第２の測定から決定される、決定することと、
前記第１の信号品質と前記第２の信号品質との比較に基づき、第１の通信のための前記第１のセルを選択することと、
前記ＵＥに関連する第１の位置情報を決定することと、
前記第１の位置情報に基づき、第３の信号品質の判定のための第３の測定を遅延させることと、
前記第１のセルからの複数の信号を決定することであって、前記複数の信号の各信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）からの少なくとも１つである、決定することと、
前記第２のセルからの複数の第２の信号を決定することであって、前記複数の第２の信号の各信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）からの少なくとも１つである、決定することと、
前記第１のセルからの複数の信号の各信号と前記第２のセルからの複数の第２の信号の対応する信号との間の複数のオフセットを決定することと、
前記複数のオフセットのウィンドウサイズのそれぞれの１つ以上の指標を決定することであって、前記１つ以上の指標の各指標は、前記複数のオフセットの分散、前記複数のオフセットの標準偏差、前記複数のオフセットの平均のパーセント信頼区間（ＣＩ）及び前記１つ以上の指標の２つ以上の線形結合からの少なくとも１つである、決定することと、
前記ＵＥが前記１つ以上の指標に基づき静止しているか判断することと、
を有する方法。
【請求項１７】
前記第１の位置情報の決定の後に、前記ＵＥからの第１のモビリティ通信をモビリティマネージメントエンティティ（ＭＭＥ）に通信することと、
前記第３の測定を遅延させることの前に、前記第１のモビリティ通信に応答して、前記ＭＭＥから測定遅延通信を受信することと、
を更に有する、請求項１６記載の方法。
【請求項１８】
前記１つ以上の指標が前記複数の信号の分散であり、前記複数の信号の分散が閾値分散より低い場合、前記ＵＥが静止していると判定することを更に有する、請求項１６記載の方法。
【請求項１９】
前記ＵＥがサービングセルのエッジにあるか判断することと、
前記ＵＥが前記サービングセルのエッジにある場合、前記ウィンドウサイズの第１の数を使用し、前記ＵＥが前記サービングセルのエッジにない場合、前記ウィンドウサイズの第２の数を使用することと、
を更に有する、請求項１６記載の方法。
【請求項２０】
前記１つ以上の指標が前記複数の信号の標準偏差であり、前記複数の信号の標準偏差が閾値標準偏差より低い場合、前記ＵＥが静止していると判定することを更に有する、請求項１６記載の方法。
【請求項２１】
ユーザ装置（ＵＥ）から第１のセルへの第１の接続の第１の信号品質を測定することと、
前記ＵＥから第２のセルへの第２の接続の第２の信号品質を測定することと、
前記ＵＥのモビリティを測定することと、
前記ＵＥのモビリティに基づき以降の信号品質測定を調整することと、
第３のセルへの第３の接続の第３の信号品質を測定することであって、前記第３のセルは前記第１のセル及び前記第２のセルと異なる、測定することと、
をプロセッサに実行させ、
前記以降の信号品質測定を調整することは、前記第１の接続の第４の信号品質、前記第２の接続の第５の信号品質及び前記第３の接続の第６の信号品質を遅延させるプログラム。
【請求項２２】
前記ＵＥのモビリティをモビリティマネージメントエンティティ（ＭＭＥ）に通信することと、
前記ＭＭＥから測定制御通信を受信することと、
を前記プロセッサに更に実行させ、
前記以降の信号品質は、前記ＭＭＥからの測定制御通信に応答して調整される、請求項２１記載のプログラム。
【請求項２３】
請求項２１又は２２記載のプログラムを記憶するためのコンピュータ可読記憶媒体。
【発明の詳細な説明】
【技術分野】
【０００１】
本出願は、全ての許容される目的のため参照することによりその全体がここに援用される２０１４年３月１４日に出願された米国仮特許出願第６１／９５３，６３２号に対する優先権の利益を請求する。
【０００２】
実施例は、無線通信に関する。ある実施例は、ロングタームエボリューション（ＬＴＥ）ネットワークなどのセルラネットワークにおけるユーザ装置の動きを決定することと、当該決定を利用して特定の測定及び関連するセル選択を修正又は遅延させることに関する。ある実施例は、ユーザ装置のモビリティを送受信することに関する。ある実施例は、ユーザ装置のモビリティに基づきアクションをとることに関する。
【背景技術】
【０００３】
ＬＴＥネットワーク又はＬＴＥ−Ａネットワークなどのセルラネットワークにおいて動作するユーザ装置（ＵＥ）は、無線通信のため複数のセルにアクセス可能である。セル選択は、各セルとの通信チャネルの信号特性の定期的な測定に基づく。このような測定は、特に利用可能なセルの数が増加するに従って、かなりのバッテリ及びシグナリングリソースを消費する。ここに説明される実施例は、信号を測定し、セルを選択する改良されたシステム及び方法に関する。
【図面の簡単な説明】
【０００４】
【図１】図１は、ある実施例によるネットワークの各種コンポーネントを備えたＬＴＥネットワークのエンド・ツー・エンドネットワークアーキテクチャの一部を示す。
【図２】図２は、ある実施例による測定及び／又は遅延期間による異なる周波数において動作するセルの間のデバイスハンドオーバの一例となる態様を示す。
【図３】図３は、ある実施例によるデバイスモビリティに基づきセル測定を修正する一例となる方法を示す。
【図４】図４は、ある実施例によるＵＥのモビリティを示す。
【図５】図５は、ある実施例によるＵＥが静止しているか判断する方法を示す。
【図６】図６は、ある実施例による情報要素を示す。
【図７】図７は、ある実施例による一例となるＵＥのブロック図を示す。
【図８】図８は、ある実施例によるデバイスモビリティに基づきセル測定を修正するシステム、デバイス及び方法の各種態様を実現するのに利用可能なデバイスのブロック図を示す。
【発明を実施するための形態】
【０００５】
以下の説明及び図面は、当業者が実施することを可能にするように特定の実施例を十分に示す。他の実施例は、構造的、論理的、電気的、処理及び他の変更を含むものであってもよい。ある実施例の一部及び特徴は、他の実施例のものに含まれるか、又は置換されてもよい。請求項において提供される実施例は、これらの請求項の全ての利用可能な等価を網羅する。
【０００６】
図１は、ある実施例によるネットワークの各種コンポーネントを備えたＬＴＥネットワークのエンド・ツー・エンドアーキテクチャの一部を示す。ネットワークは、無線アクセスネットワーク（ＲＡＮ）１００（例えば、図示されるように、Ｅ−ＵＴＲＡＮ、すなわち、ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋなど）と、Ｓ１インタフェース１１５を介し一緒に結合されるコアネットワーク１２０（例えば、進化型パケットコア（ＥＰＣ）として示される）とを有する。便宜上及び簡単化のため、ＲＡＮ１００と共にコアネットワーク１２０の一部しか示されていない。
【０００７】
コアネットワーク１２０は、モビリティマネージメントエンティティ（ＭＭＥ）１２２、サービングゲートウェイ（ｓｅｒｖｉｎｇ  ＧＷ）１２４及びパケットデータネットワークゲートウェイ（ＰＤＮ  ＧＷ）１２６を有する。ＲＡＮ１００は、ＵＥ１０２と通信するためのエンハンストノードＢ（ｅＮＢ）１０４（基地局として動作しうる）を有する。ｅＮＢ１０４は、マクロｅＮＢと低電力（ＬＰ）ｅＮＢとを有してもよい。ＵＥ１０２及びｅＮＢ１０４は通信１５０を送受信する。
【０００８】
ＭＭＥ１２２は、従来のサービングＧＰＲＳサポートノード（ＳＧＳＮ）の制御プレーンと機能的に同様である。ＭＭＥ１２２は、ゲートウェイ選択及びトラッキングエリアリスト管理などのアクセスにおけるモビリティの側面を管理する。サービングＧＷ１２４は、ＲＡＮ１００に対してインタフェースを終端し、ＲＡＮ１００とコアネットワーク１２０との間でデータパケットをルーティングする。さらに、それはｅＮＢ間ハンドオーバのローカルモビリティアンカーポイントであってもよく、また３ＧＰＰ間モビリティのアンカーを提供してもよい。他の役割は、正当な傍受、課金及びポリシーの実施を含むものであってもよい。サービングＧＷ１２４及びＭＭＥ１２２は、１つの物理ノード又は別々の物理ノードにおいて実現されてもよい。ＰＤＮ  ＧＷ１２６は、パケットデータネットワーク（ＰＤＮ）に対するＳＧｉインタフェースを終端する。ＰＤＮ  ＧＷ１２６は、コアネットワーク（ここでは、ＥＰＣネットワーク）と外部のＰＤＮとの間でデータパケットをルーティングし、ポリシー実施及び課金データ収集のためのキーノードであってもよい。それはまた、非ＬＴＥアクセスによるモビリティのためのアンカーポイントを提供しうる。外部ＰＤＮは、ＩＰマルチメディアサブシステム（ＩＭＳ）ドメインと共に何れかのタイプのＩＰネットワークとすることができる。ＰＤＮ  ＧＷ１２６及びサービングＧＷ１２４は、１つの物理ノード又は別々の物理ノードにおいて実現されてもよい。
【０００９】
ｅＮＢ（マクロ及びミクロ）１０４は、無線インタフェースプロトコルを終端し、ＵＥ１０２の最初のコンタクトポイントであってもよい。ある実施例では、ｅＮＢ１０４は、限定することなく、無線ベアラ管理、アップリンク及びダウンリンクダイナミック無線リソース管理又は制御（ＲＲＣ）及びデータスケジューリング並びにモビリティ管理などのＲＮＣ（無線ネットワークコントローラ機能）を含むＲＡＮ１００の各種論理機能を実現する。あるケースでは、ＲＲＣ機能はＲＡＮ１００の他の部分によって処理される。実施例によると、ＵＥ１０２は、ＯＦＤＭＡ通信技術に従ってマルチキャリア通信チャネルを介しｅＮＢ１０４とＯＦＤＭ通信信号を通信するよう構成されてもよい。ＯＦＤＭ信号は、複数の直交サブキャリアを有してもよい。
【００１０】
Ｓ１インタフェース１１５は、ＲＡＮ１００と、ＥＰＣネットワークであってもよいコアネットワーク１２０とを分離するインタフェースである。それは、ｅＮＢ１０４とサービングＧＷ１２４との間でトラフィックデータを搬送するＳ１−Ｕと、ｅＮＢ１０４とＭＭＥ１２２との間のシグナリングインタフェースであるＳ１−ＭＭＥとの２つの部分に分割される。Ｘ２インタフェースは、ｅＮＢ１０４の間のインタフェースである。Ｘ２インタフェースは、Ｘ２−Ｃ及びＸ２−Ｕの２つの部分を含む。Ｘ２−ＣはｅＮＢ１０４の間の制御プレーンインタフェースであり、Ｘ２−ＵはｅＮＢ１０４の間のユーザプレーンインタフェースである。
【００１１】
セルラネットワークによると、ＬＰセルは、屋外信号が良好に届かない屋内エリアにカバレッジを拡大するか、あるいは、ネットワーク容量を追加するか、又はデータレートを増大するのに利用されてもよい。ここで用いられるように、低電力（ＬＰ）ｅＮＢという用語は、フェムトセル、ピコセル又はミクロセルなどのより狭いセル（マクロセルより狭い）を実現するのに適した何れかの比較的低電力なｅＮＢを表す。フェムトセルｅＮＢは、典型的には、それの住宅又は企業カスタマに対してモバイルネットワークオペレータによって提供される。フェムトセルは、典型的には、住宅のゲートウェイ又はより小さいサイズであり、一般にユーザのブロードバンドラインに接続する。プラグインされると、フェムトセルは、モバイルオペレータのモバイルネットワークに接続し、住宅用フェムトセルのため、典型的には３０〜５０メータの範囲において追加的なカバレッジを提供する。従って、ＬＰ  ｅＮＢは、ＰＤＮ  ＧＷ１２６を介し結合されるため、フェムトセルｅＮＢであってもよい。同様に、ピコセルは、建物内（オフィス、ショッピングモール、駅など）又はより最近では飛行機内など、小さなエリアを典型的にカバーする無線通信システムである。ピコセルｅＮＢは、一般にそれの基地局コントローラ（ＢＳＣ）機能を通じてマクロｅＮＢなどの他のｅＮＢにＸ２リンクを介し接続可能である。従って、ＬＰ  ｅＮＢは、Ｘ２インタフェースを介しマクロｅＮＢに結合されるため、ピコセルｅＮＢにより実現されてもよい。ピコセルｅＮＢ又は他のＬＰ  ｅＮＢは、マクロｅＮＢの一部又は全ての機能を搭載してもよい。あるケースでは、これは、アクセスポイント基地局又は企業フェムトセルとして参照されてもよい。
【００１２】
特定の実現形態では、ＲＡＮ１００におけるセルカバレッジは、異なるｅＮＢ１０４の間でかなり重複しうる。例えば、ピコセルは、マクロセルのカバレッジエリア内に完全にあるカバレッジエリアを有しうる。他のセルは、特定のエリアのみで他のセルと重複しうる。セルカバレッジにおけるこの重複は、セル間のハンドオフを可能にするだけでなく、１つのｅＮＢ１０４が過剰負荷であり、他のｅＮＢ１０４が利用可能であるとき、追加的な容量を提供してもよい。
【００１３】
ある実施例によると、ＵＥ１０２及びｅＮＢ１０４は、ＵＥ１０２のモビリティを決定するため、ここで用いられる一例となる実施例の１つ以上について構成されてもよい。ＵＥ１０２及び／又はｅＮＢ１０４はまた、ＵＥ１０２がハンドオーバ前に可動的である場合、ＵＥ１０２のモビリティを報告及び受信すると共に、エンハンストシグナリングなど、モビリティに基づきアクションを実行するよう構成されてもよい。以下で詳細に説明されるように、ＵＥ１０２が複数のｅＮＢ１０４のセルカバレッジエリア内で動作しているとき、ＵＥ１０２は、何れのｅＮＢ１０４を使用するか少なくとも部分的に決定するため、異なるｅＮＢ１０４によって提供される異なる周波数に対して信号品質測定を実行してもよい。複数のチャネルに対して繰り返される信号品質測定は、かなりの量のＵＥ１０２のバッテリ電力と通信チャネル容量とを使用しうる。ＵＥ１０２が低モビリティ又は“静止”状態にある場合、利用可能なチャネルの品質が変化する可能性は低い。従って、モビリティ測定は、最初の測定セット及びチャネル選択後、チャネル品質測定を遅延させるのに利用されてもよい。チャネル品質測定の当該遅延は、全ての利用可能なチャネル、又は最初の測定セットに続いて選択されなかった利用可能なチャネルのみに適用されてもよい。
【００１４】
図２は、ある実施例による測定及び／又は遅延期間により異なる周波数において動作するセル間のデバイスハンドオフの一例となる態様を示す。図２は、異なる周波数で動作する複数のセルの間の経時的なＵＥ２０２の動作及びハンドオフを示すシステム動作２００の一例となる実施例を示す。システム動作２００では、３つのセルが第１のセル２４０、第２のセル２５０及び第３のセル２６０として示される。各セルは、単一のｅＮＢ１０４に関連付けされてもよい。例えば、一実施例では、第１のセル２４０は第１の周波数２９２において動作するＬＰ  ｅＮＢピコセルに関連し、第２のセル１５０は第２の周波数２９４において動作する第１のマクロセルｅＮＢに関連し、第３のセル２６０は第３の周波数２９６において動作する第２のマクロセルｅＮＢに関連する。他の実施例では、例えば、第２のセル２５０及び第３のセル２６０が複数の周波数における動作のための回路を有する単一のｅＮＢの一部となるように、単一のｅＮＢは異なる周波数において動作する複数のセルに関連してもよい。
【００１５】
図２のシステム動作２００は、そのとき異なる動作期間中に示されるようなＵＥ動作を示す。動作２１０において、ＵＥ２０２は、第２のセル２５０を用いる第２の周波数２９４において動作する。動作２１２において、ＵＥ２０２は、第２のセル２５０から第１のセル２４０に遷移する。動作２１４，２１６において、ＵＥ２０２は、第１のセル２４０を用いて第１の周波数２９２において動作する。処理２１８において、ＵＥ２０２は、第１のセル２４０から第２のセル２５０に戻る。動作２２０，２２２において、ＵＥ２０２は、第２のセル２５０上の第２の周波数２９４において動作する。動作２２４において、ＵＥ２０２は、第２のセル２５０から第３のセル２６０に遷移する。このとき、当該セルは、第３のセル２６０の第３の周波数２９６において動作するか、あるいは、第２の周波数２９４、第１の周波数２９２又は他の何れか利用可能な周波数に遷移してもよい。
【００１６】
図２に示されるように、ＵＥ２０２は、説明されたセル重複に基づき、動作２２０の中間を通じて動作２１０のエンド時間期間からの周波数２９２，２９４及び２９６の何れかを利用するための選択肢を有することが前提とされてもよい。第１のセル２４０、第２のセル２５０又は第３のセル２６０の何れのセルを利用するか決定するため、ＵＥから各セルへの信号測定が行われてもよい。これは、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）、及びチャネル品質指示（ＣＱＩ）などの信号の測定を含むものであってもよい。このような測定は、特に定期的に繰り返される測定についてリソース集中的であってもよい。一実施例では、測定が４０ミリ秒毎に行われる場合、ＬＴＥシステムの動作におけるスループットは１５％以上劣化しうる。
【００１７】
しかしながら、ＵＥ２０２のモビリティ情報は、このような繰り返される測定を遅延又は修正するのに利用されてもよい。例えば、モビリティ情報が、ＵＥが“静止”していることを示す場合、システムは、セル２４０，２５０及び２６０に関する測定結果が変化する可能性が低いと想定しうる。ここで説明されるような“静止”判定は、ネットワーク信号を用いて行われるデバイス位置の測定、デバイス加速度又は速度の測定、衛星リファレンス信号から行われるＧＰＳ計算系列、１つ以上の静止したセルアンテナに対する信号のドップラー測定、又はＵＥ２０２の位置又は移動情報を決定するのに利用可能な他の何れかの測定を表すものであってもよい。静止とは必ずしもゼロの移動を意味するものでなく、ＵＥ２０２の元の位置の閾値距離又は移動値内の移動を表すものであってもよいし、あるいは、選択されたセルに関連するジオフェンス又は境界内の移動を表すものであってもよい。特定の実施例では、このようなジオフェンス又は境界情報は、ＭＭＥ１２２などの制御元のネットワーク要素に記憶されてもよく、後述されるような測定タイミングの修正又は遅延を選択するため、ＵＥ１０２からのモビリティ情報と共に、制御元のネットワーク要素によって利用されてもよい。
【００１８】
ＵＥ２０２の位置情報を利用した判定又は継続中の判定系列に基づき、ＵＥ２０２又はシステム動作２００に関係するネットワークは、チャネル品質測定を遅延又は修正してもよい。特定の実施例では、当該修正は、ＵＥ２０２がもはや静止していないときに再開された標準的な定期的測定によって、ＵＥ２０２が静止している間に全てのチャネル品質測定に対する保留を伴うものであってもよい。他の実施例では、当該修正は、全てのチャネルの定期的な測定の間の時間が延長されるが、完全には停止されないことであってもよい。
【００１９】
更なる実施例では、当該修正は、ＵＥ２０２がもはや静止しなくなった際の測定再開によって、非選択周波数の品質測定に対する保留を伴うものであってもよい。例えば、ＵＥ２０２が動作２１４において静止していると判断された場合、周波数２９２における第１のセル２４０に対する信号品質は続くが、第２のセル２５０に対する第２の周波数及び第３のセル２６０に対する第３の周波数２９６の測定は、動作２１４の期間中に遅延され、実行されなくてもよい。ＵＥ２０２が動作２１６において移動閾値を超過した場合、周波数２９２，２９４，２９６を含む全てのチャネルの測定が、動作２１６において定期的に実行されてもよい。その後、測定されたチャネル品質又は他の何れかのハンドオーバのための基準が、システム動作２００に第１のセル２４０から第２のセル２５０にＵＥ２０２を移動させるとき、第１のセル２４０から第２のセルへのハンドオーバが動作２１８において実行されてもよい。特定の実施例では、使用中のチャネルのチャネル品質は、不使用中のチャネルの測定が停止されている際の関連する閾値を有してもよい。ＵＥ２０２が制している間に使用中のチャネルのチャネル品質が閾値以下に低下した場合、全てのチャネルの定期的な測定が、ＵＥ２０２が静止していても再開されてもよい。
【００２０】
図３は、ある実施例によるデバイスモビリティに基づきセル測定を変更する一例となる方法を示す。このとき、図３は、方法３００として示される方法の一例となる実施例を示す。簡単化のため、方法３００は、システム動作２００（図２）に関連して説明される。例えば、方法３００は、必須ではないが、ＵＥ１０２（図１）などのＵＥによって実行されてもよい。他のシステム及びネットワーク構成が方法３００を実現するのに利用されてもよいことが明らかであろう。
【００２１】
方法３００は、１つ以上のｅＮＢに関連するセルからの複数の信号が決定される処理３０２を備える。このような判定はチャネルを用いて実行されてもよく、あるいは、信号特定処理はｅＮＢの発見の一部である。処理３０４では、第１のパフォーマンス指標の第１の値が決定される。第１の値は１つ以上のセルの第１のセルに関連し、第１の値は第１の測定から決定される。このような測定は、ＲＳＳＩ、ＳＮＲ又は他の信号測定など、ここに説明される何れかの測定であってもよい。当該測定は、第１のセル２４０と通信するＵＥ２０２によって、ＵＥ２０２と通信する第１のセル２４０によって、又はＵＥ２０２と第１のセル２４０との間の信号からのデータを用いてＲＡＮ１００の他の何れかの要素によって実行されてもよい。各種実施例では、このような測定は、第１の信号及び第１のセル２４０の測定に加えて、ＵＥ２０２と通信する何れかの個数の更なるセル又は信号に対して実行されてもよい。
【００２２】
処理３０６では、測定から決定される信号品質値が、第１の値に基づき第１の通信に対して第１のセルを選択するのに利用される。信号品質値に加えて、位置情報、他のユーザからのセル又はｅＮＢロード又は他の何れかのこのようなメトリックなどの他の情報が、第１のセルの選択の一部であってもよい。このような決定は更に、ＵＥ２０２により行われる処理判定、第１のセルのｅＮＢに関連するプロセッサ、ＲＡＮ１００の他の要素又はこれらの何れかの組み合わせを伴うものであってもよい。
【００２３】
処理３０８では、ＵＥ２０２に関連する第１の位置情報が決定される。このような位置情報は、加速度計又は他の何れかのＵＥベースのセンサなどのＵＥ２０２のセンサから収集されてもよい。このような位置情報は、第１のセル２４０との通信を含む、何れかのｅＮＢとのネットワーク通信に基づき収集されてもよい。このような位置情報はまた、ＧＰＳ位置判定に基づくものであってもよい。各種実施例では、これらの何れかの組み合わせが、第１の位置情報の一部として他の何れかの位置判定又は情報と共に利用されてもよい。このとき、処理３１０において、第１の測定に従って、第１の位置情報を利用して、ＵＥが静止していることが判定される。処理３０８における当該判定に基づき、第１のパフォーマンス指標の第２の測定が、その後に処理３１２の一部として遅延される。
【００２４】
各種実施例では、ＵＥ２０２が静止しているという判定と、チャネル品質情報の更新のための第２の測定における以降の遅延とは、異なる方法により実行されてもよい。例えば、位置情報がドップラー測定を含む場合、システムは、ドップラー測定が設定可能な時間ウィンドウの閾値以下であるとき、測定要件を緩和してもよい。そのとき、システムは、ドップラー測定が時間ウィンドウ内において閾値以下になった場合、ＵＥがチャネル品質測定の実行を停止することを可能にしてもよい。
【００２５】
他の実施例では、ＵＥは、ドップラー測定などの位置情報を測定し、測定結果又はステータスインジケータをｅＮＢ１０４、ＲＡＮ１００又はシステムの他の何れかの制御要素の他の要素に送信してもよい。当該通信は、第１の周波数２９２における第１のセル２４０との接続を介し実行されてもよい。制御要素は、このとき、測定パターンを再設定し、ＵＥ２０２との通信において新たな測定タイミングを設定可能である。これは、システム動作の一部として静止報告のためのシグナリングイベントを加えることによって実現されてもよい。特定の実施例では、静止状態は、更新されたＬＴＥシステムにおける通常の定期的なシグナリングの一部であってもよい。特定の実施例では、これは、リソース割当て及び使用に必要なものとして、システムにより使用されるシステムオプションであってもよい。特定の実施例では、静止インジケータ及び測定タイミングは、ＬＴＥシステムの一部としてモビリティ情報として通信されてもよい。ある実施例では、静止インジケータ又は位置情報の使用は、ＵＥ２０２が静止状態を定期的に判断することによって、ＲＡＮ１００又はシステムの他の要素によってオプションとして設定可能である。静止状態がＵＥ２０２により特定されると、これは制御元のシステム要素に送信される。ＵＥ２０２が再び可動的になった場合、ステータスインジケータの変更がネットワークの制御要素に送信されてもよい。ステータスインジケータの変更毎に、ＭＭＥ１２２などのネットワークの制御要素は、チャネル測定のタイミングを更新するためＵＥ２０２と通信してもよい。
【００２６】
ネットワークが測定遅延を決定する実施例に加えて、特定の実施例はまたネットワークリソースを使用して、静止状態の判定を支援してもよい。このようなシステムは、ＭＭＥ１２２などの制御元のシステム要素に位置情報を送信するＵＥ２０２と共に動作してもよい。このような実施例は、特にシステムが特定のセルに関連する位置又はジオフェンス情報を有し、静止状態がセルに関する情報又はＲＡＮ１００に基づく位置測定及び情報を用いて決定されてもよい場合に機能してもよい。
【００２７】
特定の実施例では、ＬＴＥネットワークは、ＵＥ２０２のモビリティに基づきパラメータスケールを設定可能である。例えば、ＵＥ２０２が低モビリティ又は静止状態にある場合、第１の測定変更構成が第２の測定及び以降の測定のため利用されてもよい。ＵＥ２０２が第１の閾値と第２の閾値との間の中程度のモビリティ状態にある場合、第２の測定変更構成が利用されてもよい。ＵＥ２０２が高モビリティ状態にある場合、測定変更は利用されなくてもよい。他の実施例では、何れかの数の変数又は階層化構成における他の何れかの測定変更セットが利用されてもよい。特定の実施例では、例えば、ＵＥ２０２の経時的な平均速度が、速度がゼロに近づくに従って遅延が増加することによって、第１の測定と第２の測定との間の時間遅延のスケーリング値として利用されてもよい。
【００２８】
図４は、ある実施例によるＵＥのモビリティを示す。図４は、上述した位置情報の判定のための一例となる実施例を示す。図４において、ＵＥ１０２又は２０２の速度４５０は、ある実施例により決定され、上記の方法３００又は他の何れかの方法において位置情報として利用されてもよい。図４において、ｅＮＢ１０４ａ，１０４ｂ，１０４ｃ、セル４０２ａ，４０２ｂ，４０２ｃ、ＵＥ１０２、ＵＥ１０２の速度４５０、信号４０６ａ，４０６ｂ，４０６ｃ及び信号４０７が示される。セル４０２は、ロングタームエボリューション無線ネットワークのセルであってもよい。セル４０２ａは、ＵＥ１０２のサービングセルであってもよい。セル４０２ｂ，４０２ｃは近傍セルであってもよい。信号４０６ａ，４０６ｂ，４０６ｃはそれぞれ、ｅＮＢ１０４ａ，１０４ｂ，１０４ｃから送信された信号であってもよい。信号４０６ａ，４０６ｂ，４０６ｃ，４０７は、ｅＮＢ１０４ａ，１０４ｂ，１０４ｃ及び／又はＵＥ１０２によって送信された信号を含むものであってもよい。ｅＮＢ１０４ａ，１０４ｂ，１０４ｃは、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）など、ＵＥ１０２において測定される信号４０６ａ，４０６ｂ，４０６ｃを送信してもよい。
【００２９】
一例となる信号４０６ａ，４０６ｂ，４０６ｃは、帯域幅全体でサービングセル４０２ａに固有のリファレンス信号（ＲＳ）を搬送するリソースエレメント（ＲＥ）の平均電力であるＲＳＲＰであり、これにより、ＲＳＲＰはＲＳを搬送するシンボルにおいてのみ測定される。ＵＥ１０２は、ｅＮＢ１０４ａにアタッチされてもよい。ＵＥ１０２は、１つ以上の近傍ｅＮＢ１０４ｂ，１０４ｃのそれぞれから信号４０６ｂ，４０６ｃを受信してもよい。ＵＥ１０２は、信号４０７をｅＮＢ１０４ａに送信してもよい。
【００３０】
ＵＥ１０２の速度４５０はＵＥ１０２の動きを示す。例えば、速度４５０は、ｘ，ｙ，ｚコンポーネントを含む速度であってもよい。速度４５０は、ＵＥ１０２が静止しているか判断するのに利用されてもよい。ＵＥ１０２及び／又はｅＮＢ１０４ａは、ＵＥ１０２が静止しているか判断するよう構成されてもよい。一例となる実施例では、ｅＮＢ１０４ａ，１０４ｂ，１０４ｃは、無線ネットワークに対する他のアクセスポイントであってもよい。例えば、ｅＮＢ１０４ａ，１０４ｂ，１０４ｃは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１アクセスポイント又は局、ＩＥＥＥ８０２．１５、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）、ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）又はＧＳＭ（登録商標）／ＥＤＧＥ  ＲＡＮ（ＧＥＲＡＮ）のために構成された基地局であってもよい。
【００３１】
特定の実施例では、ある実施例によるＵＥ１０２の異なる速度４５０についてＲＳＲＰの分散がある。複数の分散判定は、ＲＳＲＰのサンプルのウィンドウに基づくものであってもよい。例えば、ウィンドウサイズとして抽出されたＲＳＲＰの１００個のサンプルがあってもよい。分散は、式（１）に従って決定されてもよい。
【００３２】
式（１）
【００３３】
【数１】
0006374020.tif 000002
式（１）では、ｎはサンプルの数であり、ｘはＲＳＲＰであり、
【００３４】
【数２】
0006374020.tif 000003
はＲＳＲＰ測定の平均である。ＵＥ１０２及び／又はｅＮＢ１０４は、式（１）に基づき分散を決定する。ＵＥ１０２及び／又はｅＮＢ１０４は、閾値を上回るＲＳＲＰに対する変化に基づくなど、ある条件に基づく可変的なウィンドウ又はサイズｎの固定的なウィンドウを利用してもよい。
【００３５】
ＵＥ１０２の異なる速度に対するＲＳＲＰの標準偏差は、静止判定又はＵＥモビリティ判定により利用されてもよい。標準偏差は、式（２）に従って決定されてもよい。
【００３６】
式（２）
【００３７】
【数３】
0006374020.tif 000004
式（２）において、分散は式（１）を用いて決定されてもよい。ＵＥ１０２及び／又はｅＮＢ１０４は、式（２）に基づき標準偏差を決定する。ＵＥ１０２及び／又はｅＮＢ１０４は、閾値を上回るＲＳＲＰに対する変化に基づくなど、ある条件に基づく可変的なウィンドウ又はサイズｎの固定的なウィンドウを利用してもよい。
【００３８】
それから、これはＵＥ１０２又はＵＥ２０２などのＵＥの位置情報に関連する信頼区間を決定するのに利用されてもよい。これらの信頼区間は更に、静止デバイス状態判定又は他のＵＥモビリティ判定において利用されてもよい。例えば、ＲＳＲＰの１つの信頼区間（ＣＩ）は、式（３）に従って決定されてもよい。
【００３９】
式（３）
【００４０】
【数４】
0006374020.tif 000005
式（３）では、ＣＩは信頼区間であり、ｎはサンプルサイズであり、ｔｎ−１は（ｎ−１）の自由度によるｔ分布からｐ％の信頼レベルの臨界値である。ＲＳＲＰのＣＩは式（３）を用いて決定される。ＵＥ１０２及び／又はｅＮＢ１０４は、式（３）に基づきＲＳＲＰのＣＩを決定してもよい。ＵＥ１０２及び／又はｅＮＢ１０４は、閾値を上回るＲＳＲＰに対する変化に基づくなど、ある条件に基づく可変的なウィンドウ又はサイズｎの固定的なウィンドウを利用してもよい。
【００４１】
図５は、ある実施例によるＵＥが静止しているか判断する方法を示す。図５は、ある実施例によるＵＥ１０２が静止しているか判断する方法５００を示す。方法５００は、サービングセル（例えば、動作２１２，２１４においては、第１のセル２４０がＵＥ２０２にサービス提供している）からの信号を測定することによって処理５０２において開始される。例えば、信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）、チャネル品質インジケータ（ＣＱＩ）又は第１のセル２４０からＵＥ２０２によって測定される他の信号の１つ以上であってもよい。一例となる実施例では、ＵＥ２０２は、第１のセル２４０に加えて第２のセル２５０及び第３のセル２６０などの近傍セルからの１つ以上の信号を測定してもよい。
【００４２】
当該測定はスライディングウィンドウ、固定的なウィンドウ又は可変サイズのウィンドウの一部であってもよい。ウィンドウのサイズは、静止しているかＵＥ２０２が判定する方法などのファクタに依存してもよい。他のファクタは、ＵＥ２０２がサービングセルのエッジ近くにあるかを含むものであってもよい。一例となる実施例では、ＵＥ２０２は、図示された動作２１２，２１８，２２４など、ＵＥ２０２がサービングセルを変える際に測定結果をフラッシュしてもよい。
【００４３】
ある実施例では、ローパスフィルタが、サービングセルからの信号を測定するか、あるいは、モビリティ判定に利用される位置情報を生成するのに利用されるセンサデータを収集する際に生じる軽微な誤りをフィルタリングするのに利用されてもよい。
【００４４】
方法５００は、ＵＥが信号に基づき静止しているか判定する処理５０４に続く。例えば、ＵＥ２０２は、第１のセル２４０からＵＥ２０２により測定されたＲＳＲＰ又は他の信号の分散を決定してもよい。それから、ＵＥ２０２は、分散の値に基づきＵＥ２０２が静止しているか判断する。ＵＥ２０２は、分散が閾値レベル以下である場合、ＵＥ２０２が静止していると判断する。一例となる実施例では、ＵＥ２０２は、静止、低又は通常モビリティ、中程度のモビリティ及び高モビリティなどのモビリティのカテゴリ、速度及び／又は方向を含むＵＥ２０２の近似的なモビリティを決定してもよい。ＵＥ２０２は、ＵＥ２０２のモビリティを決定するため予め決定されている分散の閾値を利用してもよい。
【００４５】
他の実施例では、ＵＥ１０２は、第１のセル２４０、他の何れかのセル又はセルの組み合わせからＵＥ２０２により測定されたＲＳＲＰ又は他の信号の標準偏差を決定してもよい。このとき、ＵＥ２０２は、標準偏差の値に基づきＵＥ２０２が静止しているか判断してもよい。ＵＥ２０２は、分散が閾値レベル以下である場合、ＵＥ２０２が制していると判断してもよい。
【００４６】
更なる他の実施例では、上述した実施例の２つ以上が組み合わされてもよい。例えば、ＵＥ２０２は、式（５）に開示される線形結合を利用してもよい。
【００４７】
式（５）
【００４８】
【数５】
0006374020.tif 000006
ここで、α、β、γは０から１までの間であり、分散、標準偏差及びＣＩはここで説明されたように決定されてもよい。
【００４９】
更なる他の実施例では、複数のセルによる測定が利用されてもよく、あるいは、何れかの数のローカルｅＮＢに耐知る信号の測定が、静止判定又はモビリティ判定を行うのに利用される位置情報を生成するため、何れかの数の他の位置ベースの測定と組み合わされてもよい。ある実施例では、ＵＥ２０２は、ＵＥ２０２が第１のセル２４０からサービス提供されているとき、第２のセル２５０及び第３のセル２６０などの近傍セルからの信号を測定するよう構成されてもよい。ＵＥ２０２は、最も強い近傍セルとサービングセルとの間のオフセット／差分を決定する。例えば、一実施例では、ＵＥ２０２がサービングセルに向かって移動しているとき、ＲＳＲＰは、近傍セルの信号が低下する間は増加する。このとき、ＵＥ２０２は、分散、閾値指標、標準偏差又はＣＩなど、ここに説明された方法の１つを用いて決定されたオフセット／差分に基づき、ＵＥ２０２が静止又は移動しているか判断できる。サービングセル及び近傍セルからの測定結果は、近い測定誤差を含むものであってもよい。オフセット／差分は、サービングセルからの測定された信号の低減された誤差及びＵＥ２０２のモビリティのより正確な判定を提供してもよい。
【００５０】
ある実施例では、ＵＥ２０２は、２つ以上の近傍セルからの信号を測定するよう構成される。ＵＥ２０２は、他の近傍セルからのより強い信号を有する２つ以上の近傍セルを選択してもよい。分散、標準返済及び／又はＣＩなど、ここに説明される方法の１つ以上は、サービングセル及び２つ以上の近傍セルのそれぞれからの測定に対して利用されてもよい。１つの近傍セルからの信号を使用することは、ＵＥ２０２がサービングセルの周りで円状に移動しているとき、ＵＥ２０２が制しているか判定可能であるという技術的効果を有する。さらに、２つ以上の近傍セルからの信号を利用することは、ＵＥ２０２がサービングセル及び１つの近傍セルから等距離で直線状に移動しているとき、ＵＥ２０２が静止しているか判断可能であるという技術的効果を有する。
【００５１】
更なる他の実施例では、サービングセルからの信号の加重和及びオフセット／差分が利用されてもよい。ＵＥ２０２は、最も強い信号を有する近傍セルの信号を測定するよう選択する。このとき、ＵＥ２０２は式（６）を決定する。
【００５２】
式（６）
【００５３】
【数６】
0006374020.tif 000007
式（６）では、αｉは時間ｉにおける第１セル２４０などのサービングセルの指標であり、βｉは時間Ｉにおける第２のセル２５０及び第３のセル２６０などの近傍セルの指標であり、ｆ，ｇは分散、標準偏差又はＣＩなど、ここに説明される方法の１つであってもよい。ＵＥ２０２は、このとき加重和に基づきＵＥ２０２のモビリティを決定する。例えば、加重和が閾値以上である場合、ＵＥ２０２は、静止していないと判断してもよい。一例となる実施例では、ＵＥ２０２は、速度及び／又は方向を含み、及び／又は静止、低又は通常モビリティ、中程度のモビリティ及び高モビリティなどのモビリティのカテゴリを含むものであってもよいＵＥ２０２の近似的なモビリティを決定してもよい。ＵＥ２０２は、ＵＥ２０２のモビリティを決定するため予め決定されうる重み付けされた平均の閾値を利用してもよい。
【００５４】
方法５００は、ＵＥが静止しているか判定することによって処理５０６に続く。例えば、ＵＥ２０２は、ここに説明された方法の１つに基づきＵＥ２０２が制しているか判断してもよい。ＵＥ２０２が静止していないと判断した場合、方法５００は処理５０８に続く。例えば、ＵＥ２０２が静止していない場合、ＵＥ２０２は、ＵＥ２０２が静止していないことに基づきハンドオーバパラメータを選択するなど、異なるパラメータを選択するか、又はエンハンスメントを適用してもよい。ＵＥ２０２は、ＵＥ２０２が静止していないことを示すメッセージをサービングセルに送信してもよい。
【００５５】
ＵＥ２０２が静止していると判断した場合、方法５００は処理５１０に続く。例えば、ＵＥ２０２が静止している場合、ＵＥ２０２は、ＵＥ２０２が静止していることに基づき、ハンドオーバパラメータなどの異なるパラメータを使用するか、又は異なるエンハンスメントを適用してもよい。処理５０８と５１０との双方において、ＵＥ２０２は、ＵＥ２０２のモビリティをネットワークに報告してもよい。
【００５６】
図６は、ある実施例による情報要素６００を示す。例えば、第三世代パートナーシッププロジェクト（３ＧＰＰ）のＲＡＮ２において、ＵＥ１０２又は２０２は、ＵＥのモビリティ６０２を通知するための情報要素６００をネットワーク１００に送信してもよい。ＵＥは、ＲＲＣ（Ｒａｄｉｏ  Ｒｅｓｏｕｒｃｅ  Ｃｏｎｔｒｏｌ）アイドルからＲＲＣ接続モードに遷移する際、ＵＥのモビリティ６０２をネットワークに報告するよう構成されてもよい。モビリティ６０２は、通常、中程度、高及び静止６０４の４つの可能な状態によって２ビットで表現されてもよい。
【００５７】
図７は、ある実施例による一例となるＵＥ７００のブロック図を示す。ある実施例では、ＵＥ１０２又はＵＥ２０２は、ＵＥ７００の実施例として実現されてもよい。他の各種実施例では、何れかのＵＥが図８のＵＥ７００及び／又はマシーン８００の要素を利用してもよい。ここでの何れかのＵＥとは、パーソナル・デジタル・アシスタント（ＰＤＡ）、無線通信機能を備えたラップトップ又はポータブルコンピュータ、ウェブタブレット、無線電話、スマートフォン、無線ヘッドセット、ページャ、インスタントメッセージングデバイス、デジタルカメラ、アクセスポイント、テレビ、医療デバイス（例えば、心拍モニタ、血圧モニタ又はウェアラブルデバイスなど）又は情報を無線送受信する他のデバイスなどのポータブル無線通信デバイスであってもよい。実施例によると、ＵＥ７００及び／又はマシーン８００は、ＵＥ７００のモビリティを決定し、ｅＮＢに関連するサービングセルとの通信のためのチャネル測定を変更するため、ここで説明される一例となる実施例の１つ以上について構成されてもよい。
【００５８】
図７は、ＵＥ７００の一例を示す。ＵＥ７００は、ホットスポット、基地局（ＢＳ）、ｅＮＢ又は他のタイプのＷＬＡＮ若しくはＷＷＡＮアクセスポイントと通信するよう構成されるハウジング７０２内の１つ以上のアンテナ７０８を有することが可能である。従って、ＵＥは、上述されるようなアシンメトリックＲＡＮの一部として実現されるｅＮＢ又は基地局の送受信機を介しインターネットなどのＷＡＮと通信してもよい。ＵＥ７００は、３ＧＰＰ  ＬＴＥ、ＷｉＭＡＸ、ＨＳＰＡ（Ｈｉｇｈ  Ｓｐｅｅｄ  Ｐａｃｋｅｔ  Ａｃｃｅｓｓ）、Ｂｌｕｅｔｏｏｔｈ（登録商標）及びＷｉ−Ｆｉ規格規定から選ばれた規格を含む複数の無線通信規格を用いて通信するよう構成可能である。ＵＥ７００は、各無線通信規格のための個別のアンテナ又は複数の無線通信規格のための共有アンテナを用いて通信可能である。ＵＥ７００は、ＷＬＡＮ、ＷＰＡＮ及び／又はＷＷＡＮにおいて通信可能である。
【００５９】
図７はまた、ＵＥ７００からのオーディオ入出力のために利用可能なマイクロフォン７２０及び１つ以上のスピーカ７１２を示す。表示画面７０４は、液晶ディスプレイ（ＬＣＤ）画面又は有機発光ダイオード（ＯＬＥＤ）ディスプレイなどの他のタイプの表示画面とすることができる。表示画面７０４は、タッチ画面として構成可能である。タッチ画面は、容量型、抵抗型又は他のタイプのタッチ画面技術を利用可能である。アプリケーションプロセッサ７１４及びグラフィクスプロセッサ７１８は、処理及び表示機能を提供するため、内部メモリ７１６に結合可能である。不揮発性メモリポート７１０はまた、データ入出力オプションをユーザに提供するため利用可能である。不揮発性メモリポート７１０はまた、ＵＥ７００のメモリ容量を拡張するのに利用可能である。キーボード７０６は、更なるユーザ入力を提供するため、ＵＥ７００に一体化されるか、又はＵＥ７００に無線接続可能である。バーチャルキーボードがまた、タッチ画面を用いて提供可能である。ＵＥ７００のフロントサイド（表示画面）又はリササイドに配置されたカメラ７２２がまた、ＵＥ７００のハウジング７０２に一体化可能である。このような何れかの要素は、ここで説明されるように、アシンメトリックＣ−ＲＡＮを介しアップリンクデータとして通信される情報を生成し、アシンメトリックＣ−ＲＡＮを介しダウンリンクデータとして通信される情報を受信するのに利用されてもよい。
【００６０】
図８は、ある実施例によるデバイスモビリティに基づきセル測定を変更する各種態様のシステム、デバイス及び方法を実現するのに利用可能なデバイスのブロック図を示す。図８は、ＰＤＮゲートウェイ１２６、サービングゲートウェイ１２４、ＭＭＥ１２２、ｅＮＢ１０４、第１のセル２４０、第２のセル２５０又は第３のセル２６０を可能にする何れかのマシーン、ＵＥ７００又はここに説明される他の何れかのデバイスを含む、ここに説明される方法の何れか１つ以上が実行可能な一例となるコンピュータシステムマシーン８００を示す。他の各種実施例では、マシーンは、スタンドアローンデバイスとして動作するか、あるいは、他のマシーンに接続（例えば、ネットワーク化）可能である。ネットワーク化された配置では、マシーンは、サーバ・クライアントネットワーク環境におけるサーバ又はクライアントの能力で動作可能であるか、あるいは、ピア・ツー・ピア（又は分散）ネットワーク環境におけるピアマシーンとして動作可能である。マシーンは、ポータブルであってもよいし、なくてもよいパーソナルコンピュータ（ＰＣ）（例えば、ノートブック又はネットブックなど）、タブレット、セットトップボックス（ＳＴＢ）、ゲームコンソール、パーソナル・デジタル・アシスタント（ＰＤＡ）、携帯電話又はスマートフォン、ウェブ機器、ネットワークルータ、スイッチ又はブリッジ、又は当該マシーンにより行われるアクションを指示する命令（シーケンシャル又はそれ以外）を実行可能な何れかのマシーンとすることができる。さらに、単一のマシーンしか示されていないが、“マシーン”という用語はまた、ここに説明された方法の何れか１つ以上を実行するための命令セット（又は複数のセット）を個別に又は結合して実行する何れかのマシーンの集まりを含むと解釈される。
【００６１】
一例となるコンピュータシステムマシーン８００は、プロセッサ８０２（例えば、中央処理ユニット（ＣＰＵ）、グラフィクス処理ユニット（ＧＰＵ）又は双方など）、メインメモリ８０４及びスタティックメモリ８０６を有し、それらはインターコネクト８０８（リンク、バスなど）を介し相互通信する。コンピュータシステムマシーン８００は更に、ビデオ表示ユニット８１０、英数字入力デバイス８１２（キーボードなど）及びユーザインタフェース（ＵＩ）ナビゲーションデバイス８１４（マウスなど）を有することが可能である。一実施例では、ビデオ表示ユニット８１０、入力デバイス８１２及びＵＩナビゲーションデバイス８１４は、タッチ画面ディスプレイである。コンピュータシステムマシーン８００は更に、ストレージデバイス８１６（ドライブユニットなど）、信号生成デバイス８１８（スピーカなど）、出力コントローラ８３２、電力管理コントローラ８３４、ネットワークインタフェースデバイス８２０（１つ以上のアンテナ８３０、送受信機又は他の無線通信ハードウェアを有するか、又は動作可能に通信可能である）及びＧＰＳセンサ、コンパス、位置センサ、加速度計又は他のセンサなどの１つ以上のセンサ８２８を有することが可能である。
【００６２】
ストレージデバイス８１６は、ここに説明された方法又は機能の何れか１つ以上によって実現又は利用される１つ以上のデータ構造命令セット８２４（例えば、ソフトウェア）を記憶したマシーン可読媒体８２２を有する。命令８２４はまた。コンピュータシステムマシーン８００による実行中にメインメモリ８０４、スタティックメモリ８０６及び／又はプロセッサ８０２内に完全に又は少なくとも部分的に配置可能であり、メインメモリ８０４、スタティックメモリ８０６及びプロセッサ８０２はまたマシーン可読媒体を構成する。
【００６３】
マシーン可読媒体８２２が単一の媒体であるとして一例となる実施例において示されるが、“マシーン可読媒体”という用語は、１つ以上の命令８２４を記憶する単一の媒体又は複数の媒体（例えば、中央又は分散データベース及び／又は関連するキャッシュ及びサーバなど）を含みうる。“マシーン可読媒体”という用語はまた、マシーンによる実行用の命令を記憶、符号化又は担持可能であって、マシーンに本開示の方法の何れか１つ以上を実行させるか、又は当該命令によって利用又は関連するデータ構造を記憶、符号化又は担持可能な何れか有形の媒体を含むと解釈される。
【００６４】
命令８２４は更に、複数の周知の伝送プロトコル（ＨＴＴＰなど）の何れか１つを利用するネットワークインタフェースデバイス８２０を介し伝送媒体を用いて通信ネットワーク８２６を介し送受信可能である。“伝送媒体”という用語は、マシーンによる実行用の命令を記憶、符号化又は担持可能な何れかの無形の媒体を含み、ソフトウェアの通信を実現するためのデジタル又はアナログ通信信号又は他の無形の媒体を含むと解釈される。
【００６５】
各種技術又はその特定の態様又は部分は、フロッピー（登録商標）ディスケット、ＣＤ−ＲＯＭ、ハードドライブ、非一時的なコンピュータ可読記憶媒体又は他の何れかのマシーン可読記憶媒体など、有形の媒体に実現されるプログラムコード（すなわち、命令）の形態をとりうるものであり、プログラムコードがコンピュータなどのマシーンにロードされて実行されると、マシーンは各種技術を実践する装置になる。プログラマブルコンピュータ上でのプログラムコードの実行の場合、計算デバイスは、プロセッサ、プロセッサによる可読な記憶媒体（揮発性及び不揮発性メモリ及び／又はストレージ要素を含む）、少なくとも１つの入力デバイス及び少なくとも１つの出力デバイスを含むものであってもよい。揮発性及び不揮発性メモリ及び／又はストレージ要素は、ＲＡＭ、ＥＰＲＯＭ、フラッシュドライブ、光ドライブ、磁気ハードドライブ又は電子データを記憶する他の媒体であってもよい。基地局及び移動局はまた、送受信モジュール、カウンタモジュール、処理モジュール及び／又はクロックモジュール若しくはタイマモジュールを有してもよい。ここに説明された各種技術を実現又は利用可能な１つ以上のプログラムは、アプリケーション・プログラミング・インタフェース（ＡＰＩ）、再利用可能なコントロールなどを利用してもよい。このようなプログラムは、コンピュータシステムと通信するためのハイレベル手続き型又はオブジェクト指向型プログラミング言語により実現されてもよい。しかしながら、プログラムは、所望される場合、アセンブリ又は機械語により実現されてもよい。何れのケースでも、言語はコンパイル又はインタープリット言語であってもよく、ハードウェア実現形態と組み合わされてもよい。
【００６６】
各種実施例は、３ＧＰＰ  ＬＴＥ／ＬＴＥ−Ａ、ＩＥＥＥ８０２．１１及びブルートゥース（登録商標）通信規格を利用してもよい。他の各種実施例は、他の各種ＷＷＡＮ、ＷＬＡＮ及びＷＰＡＮプロトコル及び規格を利用してもよく、ここで説明された技術と共に利用可能である。これらの規格は、限定することなく、３ＧＰＰ（例えば、ＨＳＰＡ＋、ＵＭＴＳ）、ＩＥＥＥ８０２．１６（例えば、８０２．１６ｐ）又はブルートゥース（登録商標）（例えば、Ｂｌｕｅｔｏｏｔｈ（登録商標）  Ｓｐｅｃｉａｌ  Ｉｎｔｅｒｅｓｔ  Ｇｒｏｕｐによって定義されたブルートゥース（登録商標）７．０又は同様の規格など）規格ファミリからの他の規格を含む。他の適用可能なネットワークコンフィギュレーションは、現在説明される通信ネットワークの範囲内に含めることができる。このような通信ネットワーク上の通信は有線又は無線伝送媒体の何れかの組み合わせを利用して何れかの数のパーソナルエリアネットワーク、ＬＡＮ及びＷＡＮを用いて実現可能であることが理解されるであろう。
【００６７】
上述した実施例は、ハードウェア、ファームウェア及びソフトウェアの１つ又は組み合わせにより実現可能である。各種方法若しくは技術又はそれらの特定の態様若しくは部分は、フラッシュメモリ、ハードドライブ、ポータブルストレージデバイス、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、半導体メモリデバイス（例えば、ＥＰＲＯＭ（Ｅｌｅｃｔｒｉｃａｌｌｙ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）など）、磁気ディスク記憶媒体、光記憶媒体及び他の何れかのマシーン可読記憶媒体若しくはストレージデバイスの形態をとることが可能であり、プログラムコードがコンピュータ又はネットワーキングデバイスなどのマシーンにロードされて実行されると、当該マシーンは各種技術を実践する装置になる。
【００６８】
マシーン可読記憶媒体又は他のストレージデバイスは、マシーン（コンピュータなど）による可読な形態で情報を記憶する何れかの非一時的な機構を含むことができる。プログラマブルコンピュータ上でプログラムコードが実行される場合、計算デバイスは、プロセッサ、プロセッサによる可読な記憶媒体（揮発性及び不揮発性メモリ及び／又はストレージ要素を含む）、少なくとも１つの入力デバイス及び少なくとも１つの出力デバイスを含むことができる。ここで説明される各種技術を実現又は利用可能な１つ以上のプログラムは、アプリケーション・プログラミング・インタフェース（ＡＰＩ）、再利用可能なコントロールなどを利用可能である。このようなプログラムは、コンピュータシステムと通信するためのハイレベル手続き型又はオブジェクト指向型プログラミング言語により実現可能である。しかしながら、プログラムは、所望される場合、アセンブリ又は機械語により実現可能である。何れの場合も、言語はコンパイル又はインタープリット言語とすることが可能であり、ハードウェア実現形態と組み合わせ可能である。
【００６９】
本明細書において説明される機能ユニット又は能力は、それらの実現形態の独立性をより協調するため、コンポーネント又はモジュールとして参照又はラベル付け可能である。例えば、コンポーネント又はモジュールは、カスタムＶＬＳＩ（Ｖｅｒｙ−Ｌａｒｇｅ−Ｓｃａｌｅ  Ｉｎｔｅｇｒａｔｉｏｎ）回路又はゲートアレイ、論理チップなどのオフザシェルフ半導体、トランジスタ又は他の離散的なコンポーネントを含むハードウェア回路として実現可能である。コンポーネント又はモジュールはまた、フィールドプログラマブルゲートアレイ、プログラマブルアレイロジック、プログラマブルロジックデバイスなどのプログラマブルハードウェアデバイスにより実現可能である。コンポーネント又はモジュールはまた、各種タイプのプロセッサによる実行用のソフトウェアにより実現可能である。特定された実行可能コードのコンポーネント又はモジュールは、例えば、コンピュータ命令の１つ以上の物理的又は論理的ブロックを有することが可能であり、例えば、オブジェクト、プロシージャ又はファンクションとして編成可能である。にもかかわらず、特定されたコンポーネント又はモジュールの実行可能コードは物理的に一緒に配置される必要はなく、論理的に結合されるとき、コンポーネント又はモジュールを有し、コンポーネント又はモジュールの説明された目的を実現する異なる位置に記憶された命令を有することが可能である。
【００７０】
実際、実行可能コードのコンポーネント又はモジュールは、単一又は多数の命令とすることが可能であり、複数の異なるコードセグメント、異なるプログラム及び複数のメモリデバイス上に分散可能である。同様に、処理データはコンポーネント又はモジュール内で特定及び説明可能であり、何れか適切な形態により実現可能であり、何れか適切なタイプのデータ構造内に編成可能である。処理データは、単一のデータセットとして収集可能であるか、又は異なるストレージデバイスを含む異なる位置にわたって分散可能であり、少なくとも部分的にはシステム又はネットワーク上の単なる電子信号として存在しうる。コンポーネント又はモジュールは、所望の機能を実行するよう動作可能なエージェントを含む、パッシブ又はアクティブなものとすることが可能である。
【００７１】
現在説明される方法、システム及びデバイスの実施例の更なる具体例は、以下の非限定的なコンフィギュレーションを含む。以下の非限定的な具体例のそれぞれは、それ自体で成立するか、又は以下に提供される他の具体例の何れか１つ以上との何れかの順列又は組み合わせによって又は本開示を通じて組み合わせ可能である。
【００７２】
特定の更なる実施例は、ユーザ装置（ＵＥ）であって、各セルが進化型ノードＢ（ｅＮＢ）に関連する１つ以上のセルからの複数の信号を決定し、１つ以上のセルの第１のセルと関連する第１のパフォーマンス指標の第１の値を決定し、第１の値は第１の測定から決定され、第１の値に基づき第１の通信について第１のセルを選択し、ＵＥに関連する第１の位置情報を決定し、第１の測定の後に第１の位置情報を利用して、ＵＥが静止しているか判断し、ＵＥが静止しているという判定に応答して、第１のパフォーマンス指標の第２の測定を遅延させるよう構成される回路を有するユーザ装置を有してもよい。
【００７３】
更なる実施例は、１つ以上のセルは第１のセルと第２のセルとを有し、第１のセルは、第１の周波数レイヤを用いて動作するマクロセルを有し、第２のセルは、第１の周波数レイヤと異なる第２の周波数レイヤを用いて動作するピコセルを有する場合に機能してもよい。
【００７４】
更なる実施例は、複数の信号は、第１のセルから第１の周波数レイヤにおけるＵＥへの第１の信号と、第２の周波数レイヤを用いた第２のセルからの第２の信号とを含む場合に機能してもよい。
【００７５】
更なる実施例は、回路は更に、第１の測定の一部として第２のセルに関連する第１のパフォーマンス指標の第２の値を決定するよう構成され、第１のセルは更に、第１の値と第２の値との比較に基づき選択される場合に機能してもよい。
【００７６】
更なる実施例は、複数の信号を決定するよう構成される回路は、第１のセルからの複数の信号を決定するよう構成される回路を含み、複数の信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）からの少なくとも１つである場合に機能してもよい。
【００７７】
更なる実施例は、ＵＥが静止していると判断するよう構成される回路は、複数の信号のそれぞれのウィンドウサイズの１つ以上の指標を決定するよう構成される回路を含み、１つ以上の指標は、１つ以上の信号値の分散、１つ以上の信号値の標準偏差、１つ以上の指標の平均のパーセント信頼区間（ＣＩ）及び１つ以上の指標の２つ以上の他の線形結合からの少なくとも１つである場合に機能してもよい。
【００７８】
更なる実施例は、第１のパフォーマンス指標は、複数の信号の少なくとも１つに関連するドップラー閾値である場合に機能してもよい。
【００７９】
更なる実施例は、ＵＥが静止していると判断するよう構成される回路は、第１の位置情報を進化型ノードＢ（ｅＮＢ）に送信し、第１の位置情報の送信に応答して、測定遅延インジケータを受信するよう構成される回路を含む場合に機能してもよい。
【００８０】
更なる実施例は、ＵＥが静止しているという判定に応答して、第１のパフォーマンス指標の第２の測定を遅延させるよう構成される回路は、ＵＥが静止しているというインジケータとして測定遅延インジケータを処理するよう構成される回路を含む場合に機能してもよい。
【００８１】
更なる実施例は、第１の位置情報は、ｅＮＢを介しモビリティマネージメントエンティティ（ＭＭＥ）に送信され、ＭＭＥは、第１の位置情報に基づきＵＥが静止していると判断し、ＭＭＥは、ＵＥが静止しているというＭＭＥによる判定に応答して、測定遅延インジケータを発信する場合に機能してもよい。
【００８２】
更なる実施例は、第１の測定の後に第１の位置情報を用いてＵＥが静止していると判定するよう構成される回路は、第１の位置情報を用いてＵＥのモビリティ値を決定し、静止閾値を特定し、モビリティ値が静止閾値以下であると判定するよう構成される回路を含む場合に機能してもよい。
【００８３】
更なる実施例は、ＵＥに関連する第２の位置情報を決定し、第１の位置情報は第１の時間期間中に決定され、第２の位置情報は第１の時間期間の後である第２の時間期間中に決定され、第２の測定の後に第２の位置情報を用いてＵＥが静止していないと判断し、ＵＥが静止しているという判定に応答して、第１のパフォーマンス指標の第２の測定を開始するよう構成される回路を更に有してもよい。
【００８４】
更なる実施例は、第２の測定の後に第２の位置情報を用いてＵＥが静止していないと判定するよう構成される回路は、第２の位置情報を用いてＵＥの第２のモビリティ値を決定し、モビリティ値が静止閾値以上であると判定するよう構成される回路を含む場合に機能してもよい。
【００８５】
更なる実施例は、モビリティ値が静止閾値以下であるという判定に基づき静止判定メッセージを通信し、静止判定メッセージの通信に応答して、測定遅延通信を受信するよう構成される回路を更に有してもよい。
【００８６】
更なる実施例は、アンテナを更に有し、静止判定メッセージは、アンテナを用いて進化型ノードＢ（ｅＮＢ）に無線インタフェースを介し送信され、測定遅延通信は、アンテナを用いてｅＮＢから無線インタフェースを介し受信されてもよい。
【００８７】
更なる実施例は、回路は更に、第１のセルの選択に基づき、ＵＥが静止しているという判定の後に第１のセルに関連する第１のパフォーマンス指標の値を定期的に決定するよう構成され、ＵＥが静止しているという判定に応答して、第２の測定の遅延は、第１のセルと異なる１つ以上のセルの第２のセルに関連する第１のパフォーマンス指標の第２の値の決定を遅延させることを含む場合に機能してもよい。
【００８８】
更なる実施例は、第１のセルを選択する方法であって、処理回路と無線通信回路とを有するユーザ装置（ＵＥ）が、複数のセルからの複数の無線信号を決定するステップと、複数のセルの第１のセルの第１の信号品質を決定するステップであって、第１の信号品質は第１の無線信号の第１の測定から決定される、ステップと、複数のセルの第２のセルの第２の信号品質を決定するステップであって、第２の信号品質は第２の無線信号の第２の測定から決定される、ステップと、第１の信号品質と第２の信号品質との比較に基づき、第１の通信のための第１のセルを選択するステップと、ＵＥに関連する第１の位置情報を決定するステップと、第１の位置情報に基づき、第３の信号品質の判定のための第３の測定を遅延させるステップとを有する方法を含むものであってもよい。
【００８９】
更なる実施例は、第１の位置情報の決定の後に、ＵＥからの第１のモビリティ通信をモビリティマネージメントエンティティ（ＭＭＥ）に通信するステップと、第３の測定を遅延させるステップの前に、第１のモビリティ通信に応答して、ＭＭＥから測定遅延通信を受信するステップとを更に有する場合に機能してもよい。
【００９０】
更なる実施例は、第１のセルからの複数の信号を決定するステップであって、複数の信号の各信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）からの少なくとも１つである、ステップと、第２のセルからの複数の第２の信号を決定するステップであって、複数の第２の信号の各信号は、リファレンス信号受信電力（ＲＳＲＰ）、リファレンス信号受信品質（ＲＳＲＱ）、受信信号強度インジケータ（ＲＳＳＩ）、信号対雑音比（ＳＮＲ）、信号対干渉比（ＳＩＲ）、信号対干渉プラス雑音比（ＳＩＮＲ）及びチャネル品質インジケータ（ＣＱＩ）からの少なくとも１つである、ステップと、第１のセルからの複数の信号の各信号と第２のセルからの複数の第２の信号の対応する信号との間の複数のオフセットを決定するステップと、複数のオフセットのウィンドウサイズのそれぞれの１つ以上の指標を決定するステップであって、１つ以上の指標の各指標は、複数のオフセットの分散、複数のオフセットの標準偏差、複数のオフセットの平均のパーセント信頼区間（ＣＩ）及び１つ以上の指標の２つ以上の線形結合からの少なくとも１つである、ステップと、ＵＥが１つ以上の指標に基づき静止しているか判断するステップとによって更に実行してもよい。
【００９１】
更なる実施例は、１つ以上の指標が複数の信号の分散であり、複数の信号の分散が閾値分散より低い場合、ＵＥが静止していると判定するステップをによって更に実行してもよい。
【００９２】
更なる実施例は、ＵＥがサービングセルのエッジにあるか判断するステップと、ＵＥがサービングセルのエッジにある場合、ウィンドウサイズの第１の数を使用し、ＵＥがサービングセルのエッジにない場合、ウィンドウサイズの第２の数を使用するステップとによって更に実行してもよい。
【００９３】
更なる実施例は、１つ以上の指標が複数の信号の標準偏差であり、複数の信号の標準偏差が閾値標準偏差より低い場合、ＵＥが静止していると判定するステップによって更に実行してもよい。
【００９４】
更なる実施例は、１つ以上のプロセッサにより実行されると、ユーザ装置（ＵＥ）から第１のセルへの第１の接続の第１の信号品質を測定するステップと、ＵＥから第２のセルへの第２の接続の第２の信号品質を測定するステップと、ＵＥのモビリティを測定するステップと、ＵＥのモビリティに基づき以降の信号品質測定を調整するステップとをＵＥに実行させるためのコンピュータ可読命令を有する非一時的なコンピュータ可読媒体であってもよい。
【００９５】
更なる実施例は、命令は第３のセルへの第３の接続の第３の信号品質を測定するステップであって、第３のセルは第１のセル及び第２のセルと異なる、ステップをＵＥに更に実行させ、以降の信号品質測定を調整するステップは、第１の接続の第４の信号品質、第２の接続の第５の信号品質及び第３の接続の第６の信号品質を遅延させるステップを含む場合に動作してもよい。
【００９６】
更なる実施例は、命令はＵＥのモビリティをモビリティマネージメントエンティティ（ＭＭＥ）に通信するステップと、ＭＭＥから測定制御通信を受信するステップと、
をＵＥに更に実行させ、以降の信号品質は、ＭＭＥからの測定制御通信に応答して調整される場合に動作してもよい。
【図１】
0006374020.tif 000008
【図２】
0006374020.tif 000009
【図３】
0006374020.tif 000010
【図４】
0006374020.tif 000011
【図５】
0006374020.tif 000012
【図６】
0006374020.tif 000013
【図７】
0006374020.tif 000014
【図８】
0006374020.tif 000015